(57)【要約】【課題】  円筒状ステップを有する昇降用はしごの昇降に際してステップ周面に対する靴底の滑りを長期間効果的に防止するための昇降用はしごの滑り止め具を提供する。【解決手段】  昇降用はしごの円筒状ステップの外周面に接着剤によって筒状に被覆固定される滑り止め具において、滑り止め具の外周面にステップの軸線方向に延びる複数条（好ましくは８〜１２条）の角型突起が設けられていること、及び滑り止め具の内周面にステップの軸線方向に延びる複数条の切り込み（好ましくはＶノッチ）が設けられていることを特徴とする。【選択図】  図２
0003130200.tif 000002
【実用新案登録請求の範囲】
【請求項１】
昇降用はしごの円筒状ステップの外周面に接着剤によって筒状に被覆固定される滑り止め具において、滑り止め具の外周面にステップの軸線方向に延びる複数条の角型突起が設けられていること、及び滑り止め具の内周面にステップの軸線方向に延びる複数条の切り込みが設けられていることを特徴とする昇降用はしごの円筒状ステップ用滑り止め具。
【請求項２】
角型突起が外周面に互いに均等な距離で８〜１２条設けられていることを特徴とする請求項１に記載の昇降用はしごの円筒状ステップ用滑り止め具。
【請求項３】
角型突起の角に丸みが付けられていることを特徴とする請求項１又は２に記載の昇降用はしごの円筒状ステップ用滑り止め具。
【請求項４】
切り込みが、角型突起を有しない外周面の部分の内側の内周面に設けられていることを特徴とする請求項１〜３のいずれかに記載の昇降用はしごの円筒状ステップ用滑り止め具。
【請求項５】
切り込みがＶノッチであることを特徴とする請求項１〜４のいずれかに記載の昇降用はしごの円筒状ステップ用滑り止め具。
【考案の詳細な説明】
【技術分野】
【０００１】
本考案は、昇降用はしごの円筒状ステップの外周面に被覆固定される滑り止め具に関する。
【背景技術】
【０００２】
発電所や建造物などに設置される昇降用はしごは一般に、複数の円筒状のステップを一定間隔で配置して形成されており、作業者はそれらのステップに足を掛けて昇降する。
【０００３】
しかしながら、はしごの円筒状ステップは、表面が滑らかな円筒面からなるため、作業者が昇降するときに靴底が滑りやすく、足の踏みはずし、さらには落下の危険という問題があった。
【０００４】
かかる問題に対して、はしごの円筒状ステップ周面に筒状に被覆固定される被覆本体と、被覆本体表面にステップの略軸線方向にステップの円周に沿って設けられた複数条の線状突起とからなる円筒状ステップ用滑り止め具が提案されている（特許文献１参照）。
【０００５】
この滑り止め具は、線状突起が靴底とかみ合って十分な滑り止め効果を発揮するが、長期間繰り返し使用すると、線状突起部に容易に破損が生じるとともに、ステップ周面と被覆本体の間の接着剤の不十分な結合により滑り止め具が円筒状ステップの周囲で回転してしまうという問題があった。
【特許文献１】実開平７−２３２００号公報
【考案の開示】
【考案が解決しようとする課題】
【０００６】
本考案は、かかる従来技術の問題点に鑑み創案されたものであり、その目的は、円筒状ステップを有する昇降用はしごの昇降に際してステップ周面に対する靴底の滑りを長期間効果的に防止するための昇降用はしごの円筒状ステップ用滑り止め具を提供することにある。
【課題を解決するための手段】
【０００７】
本考案者は、かかる目的を達成するために長期間の繰り返し使用に耐えうる滑り止め具について鋭意検討した結果、滑り止め具の外周面に沿って設けられた靴底とかみ合う突起物を角型形状にするとともに、滑り止め具の内周面に複数条の切り込みを設けることによって、円筒状ステップに長期間安全な滑り止め効果を提供できることを見出し、本考案の完成に至った。
【０００８】
即ち、本考案は、昇降用はしごの円筒状ステップの外周面に接着剤によって筒状に被覆固定される滑り止め具において、滑り止め具の外周面にステップの軸線方向に延びる複数条の角型突起が設けられていること、及び滑り止め具の内周面にステップの軸線方向に延びる複数条の切り込みが設けられていることを特徴とする昇降用はしごの円筒状ステップ用滑り止め具である。
【０００９】
本考案の滑り止め具の好ましい態様では、角型突起が外周面に互いに均等な距離で８〜１２条設けられ、角型突起の角に丸みが付けられ、切り込みが、角型突起を有しない外周面の部分の内側の内周面に設けられ、切り込みがＶノッチである。
【考案の効果】
【００１０】
本考案の滑り止め具は、外周面にステップの軸線方向に延びる複数条（好ましくは８〜１２条）の角型突起が設けられているので、靴底との滑り止め効果が高いとともに長期間使用による突起の損傷も少ない。また、内周面にステップの軸線方向に延びる複数条の切り込み（好ましくはＶノッチ）が設けられているので、接着剤のアンカー効果が高く、長期間使用しても滑り止め具のステップ周面からの脱離がない。
【考案を実施するための最良の形態】
【００１１】
本考案の昇降用はしごの円筒状ステップ用滑り止め具の一例を図面を用いて以下説明するが、本考案はこれらに限定されるものではない。
【００１２】
図１は、本考案の滑り止め具を円筒状ステップを有する昇降用はしごに被覆固定した状態を示す正面図であり、図２は、図１におけるＡ−Ａ線断面図である。図において、１は昇降用はしご、２は円筒状ステップ、３は本考案の滑り止め具、４は角型突起、５は切り込みである。
【００１３】
図１に示すように、本考案の滑り止め具３は、昇降用はしご１の円筒状ステップ２の外周面に接着剤（図示せず）によって筒状に被覆固定されて使用される。また、図２に示すように、本考案の滑り止め具３は、筒状部の外周面にステップ２の軸線方向に延びる複数条（図では１０条）の角型突起５が設けられ、筒状部の内周面にステップ２の軸線方向に延びる複数条（図では５条）の切り込み５（図ではＶノッチ）が設けられている。本考案の滑り止め具３は、弾力性を有するゴム又はエラストマーなどの樹脂材料から作られることが好ましい。
【００１４】
滑り止め具３の角型突起４は、昇降時の靴底とのかみ合いを保持するために設けられたものであり、長期間使用しても破損及び磨耗しにくいようにするために単なる線状突起ではなく角型に形成されている。角型突起４は、靴底の圧力付加時の耐久性を向上するために上部の角及び根元の角に丸みが付けられていることが好ましい。角型突起４は、いずれの方向からも靴底とかみ合うために、筒状部の外周面に３６０°均等な配置で互いに均等な距離でステップの軸線方向に８〜１２条設けられることが好ましい。
【００１５】
滑り止め具３の切り込み５は、昇降用はしご１の円筒状ステップ２と滑り止め具３との接着剤による接着効果を向上するために設けられたものであり、滑り止め具３への接着剤の浸透及びアンカー効果を長期間保持するために滑り止め具３の筒状部の内周面にステップ２の軸線方向に複数条形成されている。切り込み５の形状は、アンカー効果を発揮できればいずれの形状でもよいが、Ｖノッチが好ましい。切り込み５は、滑り止め具の剛性を低下させる要因となりうるため、角型突起４を有しない外周面の部分の内側の内周面に存在させることが好ましい。
【００１６】
本考案の滑り止め具の昇降用はしごへの装着は、例えば以下のようにして行なうことができる。
（１）昇降用はしごのステップの塗装等による凹凸をヤスリ等で磨き、表面を滑らかにする。また、洗浄液等でステップに付着しているゴミや油脂類を確実に除去する。
（２）ステップ全体に２液式接着剤をむらなく塗布する。
（３）本考案の滑り止め具をステップの軸線方向に切断した後、真ん中より折り曲げ、ステップの中央から端に徐々にかぶせていき、接着剤が滑り止め具の内周面に確実に付着するように手で回しながら、全体をよく押さえる。
（４）接着剤が乾燥するまで滑り止め具を固定するため、複数の位置で山型クリップを取り付ける。但し、滑り止め具の切り口は奥斜め下に向くようにする。
（５）乾燥後、たれ等による余分の接着剤を取り去り、表面が滑らかであれば完成である。
【産業上の利用可能性】
【００１７】
本考案の滑り止め具は、昇降用はしごのステップの滑り止め効果が長期間保持できるので、昇降用はしごを使用する発電所や建造物の安全な保守・管理に極めて有用である。
【図面の簡単な説明】
【００１８】
【図１】本考案の滑り止め具を円筒状ステップを有する昇降用はしごに被覆固定した状態を示す正面図である。
【図２】図１におけるＡ−Ａ線断面図である。
【符号の説明】
【００１９】
１  昇降用はしご
２  円筒状ステップ
３  滑り止め具
４  角型突起
５  切り込み
【図１】
0003130200.tif 000003
【図２】
0003130200.tif 000004